(57)【要約】【課題】電源ハーネスを削減し、更に集中型電源で成しえていた機能の維持と電力変換効率を向上する分散型電源システム、制御方法、プログラム及び記録媒体を提供する。【解決手段】電源を供給する電圧の切り替え可能なメイン電源と、メイン電源の出力を伝送する電源バスと、電源バスから印加される電圧を入力源とし、ＤＣ／ＤＣ変換して負荷回路に電力を供給する分散型電源（ＰＯＬ）と、電源バスの電圧レベルを判別し、電源バスの電圧に基づいて分散型電源（ＰＯＬ）を制御する電圧レベル検出回路と、を有する。【選択図】図１
2011176904.tif 000002
【特許請求の範囲】
【請求項１】
電源を供給する電圧の切り替え可能なメイン電源と、
前記メイン電源の出力を伝送する電源バスと、
前記電源バスから印加される電圧を入力源とし、ＤＣ／ＤＣ変換して負荷回路に電力を供給する分散型電源（ＰＯＬ）と、
前記電源バスの電圧レベルを判別し、前記電源バスの電圧に基づいて分散型電源（ＰＯＬ）を制御する電圧レベル検出回路と、
を有することを特徴とする分散型電源システム。
【請求項２】
前記電圧レベル検出回路は、前記電源バスの電圧に基づいて負荷回路を制御することを特徴とする請求項１に記載の分散型電源システム。
【請求項３】
前記分散型電源（ＰＯＬ）は、複数のＤＣ／ＤＣコンバータで構成され、
前記電圧レベル検出回路は、前記電源バスの電圧に基づいて前記分散型電源（ＰＯＬ）を切り替えることを特徴とする請求項１または２に記載の分散型電源システム。
【請求項４】
前記分散型電源（ＰＯＬ）は、
出力電流を検出する出力電流検出手段と、
前記出力電流の値と前記電源バスの電圧とから負荷回路の状態を検出する負荷状態検出手段と、
前記負荷回路の負荷の状態に基づいて前記分散型電源（ＰＯＬ）を切り替える手段と、
を有することを特徴とする請求項１から３のいずれか１項に記載の分散型電源システム。
【請求項５】
前記メイン電源は、
出力電流を検出する出力電流検出手段と、
前記出力電流検出手段が検出した電流値に基づいて前記メイン電源の出力電圧を切り替える手段と、
を有することを特徴とする請求項１から4のいずれか１項に記載の分散型電源システム。
【請求項６】
電源を供給する電圧の切り替え可能なメイン電源工程と、
前記メイン電源の出力を伝送する電源バス工程と、
前記電源バスから印加される電圧を入力源とし、ＤＣ／ＤＣ変換して負荷回路に電力を供給する分散型電源（ＰＯＬ）工程と、
前記電源バスの電圧レベルを判別し、前記電源バスの電圧に基づいて分散型電源（ＰＯＬ）を制御する電圧レベル検出回路工程と、
を有することを特徴とする分散型電源システムの制御方法。
【請求項７】
請求項６に記載の分散型電源システムの制御方法をコンピュータに実行させるためのプログラム。
【請求項８】
請求項７に記載のプログラムを記録したコンピュータ読み取り可能な記録媒体。
【発明の詳細な説明】
【技術分野】
【０００１】
本発明は、複数のＬＳＩ等に電力を供給する分散型電源装置であり、特にメイン電源から供給される電圧によって、分散型電源（ＰＯＬ：ｐｏｉｎｔ  ｏｆ  ｌｏａｄ）及び負荷回路の待機・動作状態を制御する技術に関する。
【背景技術】
【０００２】
近年のプロセッサやＦＰＧＡ（Ｆｉｅｌｄ  Ｐｒｏｇｒａｍｍａｂｌｅ  Ｇａｔｅ  Ａｒｒａｙ）に代表されるようなＬＳＩは、低電圧・大電流化してきており、集中電源による電力供給方式では電源から負荷回路までの導体長が長く、ハーネスやパターンの導体抵抗による電圧低下や電力損失が問題となっている。このため、電源から高電圧で電力を伝え、負荷回路直近に配置されたＤＣ／ＤＣコンバータで降圧して負荷回路に安定した電圧を供給する分散型電源が注目されている。
【０００３】
例えば図１１は、従来の分散型電源の構成図であるが、ＡＣ／ＤＣコンバータの出力から電源バス３を経由して、負荷回路直近のＤＣ／ＤＣコンバータ７やシリーズレギュレータ（ＬＤＯ）６等（以後これらをまとめてＰＯＬと記述する）を経由して負荷回路８、９、１０に電圧を供給するものである。
【０００４】
ここで電源バス３に加えられる電圧は、導体抵抗による電圧降下が生じても負荷が必要とする電圧が充分確保される電圧であり、より高電圧とすることで電流を小さくし、電力損失も軽減することが出来るものである。
【０００５】
このような分散型電源として、例えば特許文献１には、電源システムが開示されている。これは、電子機器を構成する各部品の電源投入順番や電子機器の低消費電力化制御による負荷回路の電力変動を課題とし、メイン電源に複数のＰＯＬ間の起動・停止シーケンスを制御する制御部を設けて、シーケンスプログラムによってＰＯＬを制御する、及びＰＯＬの状態監視を行い、状態に応じてメイン電源の出力電圧を最適な状態に制御する方法である。
【発明の概要】
【発明が解決しようとする課題】
【０００６】
近年の電子機器には、ＬＳＩやモータ・ディスプレイ・ヒータなどが多数用いられており、機能ごとに回路基板が分かれているものが多く、回路基板に搭載される電気部品も２４Ｖ、１２Ｖ、５Ｖ、３．３Ｖなど複数の電圧系統が必要である。
【０００７】
また、このような電気部品によっては電源投入順位が規定されるものなどもある。このため、このような電子機器に用いる電源は、電圧系統や電源投入順位や機能によって出力を分割して用いる必要があり、出力数が増加する傾向にある。
【０００８】
このため、従来の集中型電源においては、電源から回路基板への電源ハーネスが多く、這い回しが複雑で組み立て性やメンテナンス性が問題となっており、図１１に示したような分散化電源として、電源ハーネスを削減することが望まれている。
【０００９】
しかしながら、特許文献１に記載されている方法では、電源からの出力は１系統となり簡素化でき、電源バスの電圧も最適状態を保つことが出来るものの、ＰＯＬの監視・制御に要する信号線が複数必要であり、結局ハーネス数が多くなりハーネスを削減するという課題に対応できるものではない。
【００１０】
そこで本発明は、上記問題点に鑑みてなされたもので、電源ハーネスを削減し、更に集中型電源で成しえていた機能の維持と電力変換効率を向上する分散型電源システム、制御方法、プログラム及び記録媒体を提供することを目的とする。
【課題を解決するための手段】
【００１１】
上記課題を解決するため、本発明に係る分散型電源システムは、電源を供給する電圧の切り替え可能なメイン電源と、メイン電源の出力を伝送する電源バスと、電源バスから印加される電圧を入力源とし、ＤＣ／ＤＣ変換して負荷回路に電力を供給する分散型電源（ＰＯＬ）と、電源バスの電圧レベルを判別し、電源バスの電圧に基づいて分散型電源（ＰＯＬ）を制御する電圧レベル検出回路と、を有することを特徴とする。
【００１２】
本発明に係る分散型電源システムの制御方法は、電源を供給する電圧の切り替え可能なメイン電源工程と、メイン電源の出力を伝送する電源バス工程と、電源バスから印加される電圧を入力源とし、ＤＣ／ＤＣ変換して負荷回路に電力を供給する分散型電源（ＰＯＬ）工程と、電源バスの電圧レベルを判別し、電源バスの電圧に基づいて分散型電源（ＰＯＬ）を制御する電圧レベル検出回路工程と、を有することを特徴とする。
【００１３】
本発明に係るプログラムは、上記に記載の分散型電源システムの制御方法をコンピュータに実行させることを特徴とする。
【００１４】
本発明に係る記録媒体は、上記に記載のプログラムを記録したコンピュータ読み取り可能な記録媒体であることを特徴とする。
【発明の効果】
【００１５】
本発明により、信号線及び電源バスを増やすことなくＰＯＬの制御が容易にでき、電力変換効率を向上する分散型電源システム、制御方法、プログラム及び記録媒体を提供することが可能になる。
【図面の簡単な説明】
【００１６】
【図１】第１の実施形態に係る、分散型電源システムの構成図である。
【図２】第１の実施形態に係る分散型電源システムの動作タイミングを示す図である。
【図３】第１の実施形態に係る分散型電源システムの動作タイミングを示す図である。
【図４】第２の実施形態に係る、分散型電源システムの構成図である。
【図５】第２の実施形態に係る分散型電源システムの動作タイミングを示す図である。
【図６】第３の実施形態に係る、分散型電源システムの構成図である。
【図７】第３の実施形態に係る分散型電源システムの動作タイミングを示す図である。
【図８】第４の実施形態に係る、分散型電源システムの構成図である。
【図９】第５の実施形態に係る、分散型電源システムの構成図である。
【図１０】第６の実施形態に係る、分散型電源システムの構成図である。
【図１１】従来の分散型電源システムの構成図である。
【発明を実施するための形態】
【００１７】
本発明の好適な実施の形態について図を参照して詳細に説明する。
【００１８】
図１は、本発明の第１の実施形態に係る、分散型電源システムの構成図である。
【００１９】
本実施形態における分散型電源システムは、メイン電源２と、ＰＯＬ１とＰＯＬ２とＰＯＬ３と、負荷回路１と負荷回路２と負荷回路３と、電圧レベル検出回路１と電圧レベル検出回路２と電圧レベル検出回路３と、を備えて構成される。
【００２０】
メイン電源２は、出力電圧の切り替えが可能なＡＣ／ＤＣコンバータであり、上位システムからの入力または、シーケンスプログラム内蔵のコントローラなどで出力電圧が制御される。
【００２１】
メイン電源２からの出力電圧は、電源バス３を通じてＰＯＬ１・ＰＯＬ２・ＰＯＬ３と電圧レベル検出回路１・電圧レベル検出回路２・電圧レベル検出回路３に供給される。
【００２２】
電圧レベル検出回路１１、１２、１３は、予め決められたしきい値レベルに電源バス３の電圧が達したかの判断を行い、達している場合ＰＯＬにＳＥＴ信号を出力し、達していない場合にはＲＳＥＴ信号を出力する。ＰＯＬではこの信号を受けて、動作時にＤＣ／ＤＣ変換を行い安定した電圧を負荷回路８、９、１０に供給する。
【００２３】
図２及び図３は、本実施形態に係る分散型電源システムの動作タイミングを示す図である。
【００２４】
本タイミング図の条件として、負荷回路１は電源電圧５Ｖ、負荷回路２は１２Ｖ、負荷回路３は２４Ｖで動作するとし、ＰＯＬ１の出力は５Ｖ、ＰＯＬ２の出力は１２Ｖ、ＰＯＬ３の出力は２４Ｖとしている。
【００２５】
図２は、電圧レベル検出回路のしきい値を負荷回路に電圧供給可能な、ぎりぎりのレベルに設定したものである。
【００２６】
この場合、電源バスの電圧を図２に示すように０Ｖから６Ｖ、１４Ｖ、２８Ｖと順に上げていくとＰＯＬ出力電圧は５Ｖ、１２Ｖ、２４Ｖと順に電圧が供給される。本実施形態では、このように電圧を低い順から投入していくような電子機器を想定しているが、３つの負荷回路が全て５Ｖである場合でも電圧レベル検出回路のしきい値レベル設定値で電源投入順位を変更することができる。
【００２７】
図３は、電圧レベル検出回路のしきい値を負荷回路の最大電圧以上で設定したものである。電源バスの電圧を、図３に示すように、０Ｖから２４Ｖ、２８Ｖ、３０Ｖと順に上げていくとＰＯＬ出力電圧は１２Ｖ、２４Ｖ、５Ｖと順に電圧が供給される。この場合、電源投入順位は出力電圧値の大きさによらず、電圧レベル検出回路のしきい値によって設定できる。
【００２８】
図４は、本発明の第２の実施形態に係る、分散型電源システムの構成図である。本実施形態の構成は第１の実施形態と同様なので構成の詳細な説明は省略する。
【００２９】
第１の実施形態との構成の違いは、負荷回路１、２、３においても電圧レベル検出回路１、２、３からの制御信号（ｃｏｎ４、５、６）で状態制御を行うところにある。
【００３０】
本実施形態における負荷回路１、２、３は、低消費電力化のため、回路の動作状態の切り替えが可能であるものであり、例えば、動作クロック速度を低速・高速で切り替えて使うようなものや部分的に回路への電源供給を停止する等のものである。
【００３１】
図５は、本実施形態に係る分散型電源システムの動作タイミングを示す図である。
【００３２】
本実施形態のタイミング図においては、負荷回路の低消費状態を「待機」と記述し、大電流消費状態を「動作」と記述している。
【００３３】
本タイミング図の条件として、負荷回路１は電源電圧５Ｖ、負荷回路２は１２Ｖ、負荷回路３は２４Ｖで動作するとし、ＰＯＬ１の出力は５Ｖ、ＰＯＬ２の出力は１２Ｖ、ＰＯＬ３の出力は２４Ｖとしている。また、ＰＯＬの制御に関する電圧レベル検出回路のしきい値は図２で示したものと同じにしている。
【００３４】
本タイミング図では、負荷回路の状態を制御する電圧レベル検出回路のしきい値をＰＯＬでのしきい値と違わせることで、待機状態と動作状態とを制御する。
【００３５】
本実施形態においては、負荷回路１（５Ｖ動作）の状態のように、電源バスの電圧が６Ｖ程度の低い電圧においては、負荷回路は待機状態であり、電源バスの電圧が１４Ｖ以上で動作状態としている。
【００３６】
従来技術で述べたＬＳＩの大電流化に関して、本実施形態によれば、大電流が必要な状態においては、電源バスの電圧を高く保ち、ハーネスやコネクターの抵抗による電圧降下による損失を抑えることが出来る。
【００３７】
また、ＬＳＩに待機状態があり小電流でよい状態では、バス電圧をＰＯＬの電力損失が少ない低電圧とすることが出来る。
【００３８】
図６は、本発明の第３の実施形態に係る、分散型電源システムの構成図である。本実施形態の構成は第２の実施形態と同様なので構成の詳細な説明は省略する。
【００３９】
また、本実施形態の構成では図４の構成に加えて更にＰＯＬ及び負荷回路のＳＥＴ及びＲＳＥＴを、それぞれしきい値を分けて設定している。
【００４０】
図７は、本実施形態に係る分散型電源システムの動作タイミングを示す図である。
【００４１】
本実施形態によれば、図３に示したように電源投入順位を電圧値によらず自由に設定することが出来、また、負荷回路の動作状態も自由に設定できる。
【００４２】
図８は、本発明の第４の実施形態に係る、分散型電源システムの構成図である。
【００４３】
本構成においては、１つの負荷回路８に対してＰＯＬは、スイッチングレギュレータ５とシリーズレギュレータ６の２つを用いている。
【００４４】
このスイッチングレギュレータ５とシリーズレギュレータ６は同じ電圧値を出力するが、スイッチングレギュレータ５は負荷電流が大電流時に電力変換効率が優れ、また、シリーズレギュレータ６では負荷電流が小電流時に電力変換効率が優れている。
【００４５】
このスイッチングレギュレータ５とシリーズレギュレータ６は電源バスの電圧レベルによって使い分けられ、電源バスの電圧が高い状態においてはスイッチングレギュレータ５を選択し、電源バスの電圧が低い状態においてはシリーズレギュレータ６を選択するようになっている。
【００４６】
本発明の第４の実施形態によれば、電圧レベルが低い状態で負荷回路が待機状態になるように設定することが可能であり、本実施形態では負荷回路が動作状態の大電流消費状態ではスイッチングレギュレータ５でＤＣ／ＤＣ変換し、負荷回路が待機状態ではシリーズレギュレータ６でＤＣ／ＤＣ変換するなどＰＯＬを使い分けることが出来る。
【００４７】
また、第１の実施形態で述べた機能に関しては、ｃｏｎ１・ｃｏｎ２の制御によって実現できる。
【００４８】
図９は、本発明の第５の実施形態に係る、分散型電源システムの構成図である。
【００４９】
本実施形態は、負荷回路１０に本分散型電源システム以外から負荷回路１０に制御が掛かる場合であり、例えば、負荷回路１０にセンサがあり、状態異常の時に負荷回路１０を停止する場合や負荷回路１０が電源投入から一定時間後に自動的に待機状態に移行するような機能を持っている場合、などがある。
【００５０】
本実施形態の構成は、図８に電流検出回路９と負荷状態検出回路６を追加した構成であるので同様な構成の詳細な説明は省略する。
【００５１】
負荷状態検出回路６は、負荷電流と現在使用しているＰＯＬを照らし合わせて負荷電流に即したＰＯＬを選択する。
【００５２】
図１０は、本発明の第６の実施形態に係る、分散型電源システムの構成図である。
【００５３】
本実施形態は、負荷回路で電力不足などが発生している状態をメイン電源の出力電圧と出力電流から検出して、メイン電源の出力電圧を調整するものである。
【００５４】
本構成図は第１の実施形態の構成図に電流検出回路１４を追加したものであり同様な構成の詳細な説明は省略するが、メイン電源２には、出力電流値と出力電圧値から負荷回路の状態を判断する演算回路が内蔵されている。
【００５５】
また、負荷回路の状態判断として、予め想定される全状態でのテーブルデータをメイン電源に持たせて、このテーブルデータと比較する方法を備えているが、この方法に限定されることはなく、公知の方法を用いることが可能である。
【００５６】
上記の実施形態によれば、信号線及び電源バスを増やすことなくＰＯＬの制御が容易にできる。
【００５７】
また上記の実施形態によれば、信号線及び電源バスを増やすことなく負荷回路の状態制御ができる。
【００５８】
また上記の実施形態によれば、ＰＯＬでの電力損失を軽減することができる。
【００５９】
また上記の実施形態によれば、複数のＰＯＬで個別に電力効率の最適化ができる。
【００６０】
また上記の実施形態によれば、負荷回路の状態に応じて電源バスの電圧を最適にできる。
【００６１】
上記の実施形態によれば、分散型電源システムは、電源バスの電圧を可変して、その電圧値によってＰＯＬを制御するので電源バスや制御線等のハーネスが削減できる。
【００６２】
また上記の実施形態によれば、分散型電源システムは、電源バスの電圧を可変して、その電圧値によって負荷回路を制御するので電源バスや制御線等のハーネスが削減できる。
【００６３】
また上記の実施形態によれば、分散型電源システムは、電源バスの電圧を可変して、その電圧値によってＰＯＬを最適なものに切り替えるので、ＰＯＬでの電力損失を軽減できる。
【００６４】
また上記の実施形態によれば、分散型電源システムは、負荷回路の状態に応じてＰＯＬを最適なものに切り替えるので、負荷回路ごとに最適なＰＯＬを選択できる。
【００６５】
また上記の実施形態によれば、分散型電源システムは、メイン電源で全負荷の状態を検出して電源バスに加える電圧を最適に設定するので、電子機器の電力損失を軽減することができる。
【００６６】
本発明の分散型電源システムでは、電圧切り替え機能を有するメイン電源とメイン電源の出力を伝送する電源バスと電源バスから印加される電圧を入力源とし、ＤＣ／ＤＣ変換して負荷回路に電力を供給するＰＯＬと電源バスの電圧レベルを判別する電圧レベル検出回路を有する分散型電源システムであって、電源バスの電圧を電圧レベル検出回路により検出して、ＰＯＬの状態を制御する。従って、メイン電源の電圧レベルを変えることでＰＯＬの状態を制御することが出来、信号線や電源バスを増やす必要はなく、比較回路の検出レベルを各ＰＯＬごとに異ならし調整しておき、メイン電源の電圧を複数段で上昇させればＰＯＬの状態切り替えタイミングも複数設定可能である。
【００６７】
また本発明の分散型電源システムでは、電圧レベル検出回路は電源バスの電圧に応じて、負荷回路の状態を制御する。従って、負荷回路の動作・待機等の状態を電源バスの電圧にて切り替えることが出来、負荷回路の制御に必用なハーネスを削減することが出来る。
【００６８】
また本発明のＰＯＬは、複数のＤＣ／ＤＣコンバータで構成され、電圧レベル検出回路は電源バスの電圧に応じて、ＰＯＬを切り替えることを特徴とする分散型電源システムである。従って、負荷回路の状態が軽負荷か重負荷か等の負荷条件を電源バスの電圧レベルから判断して、ＰＯＬに用いるコンバータを変換効率の良い最適なものに切り替えることが出来る。これにより、ＰＯＬでの電力損失を軽減する。
【００６９】
また本発明のＰＯＬに出力電流検出手段と出力電流値と電源バスの電圧から負荷回路の状態を検出する状態検出回路を設け、負荷の状態に応じて、ＰＯＬを切り替える手段を設けたことを特徴とする分散型電源システムである。従って、負荷回路の消費電流と電源バスの電圧レベルからＰＯＬに用いるコンバータを変換効率の良い最適なものに切り替える。この手段によって、電源バスに複数接続されるＰＯＬが個々で最適なコンバータを選択し、ＰＯＬでの電力損失を軽減する。
【００７０】
また本発明の分散型電源システムでは、メイン電源に出力電流検出手段を設けて、電流値によってメイン電源の出力電圧を切り替えている。従って、メイン電源の負荷電流をモニターすることで、本分散型電源システムが用いられる電子装置の状態を検出して、適切なバス電圧を出力することが出来る。
【００７１】
本発明の分散型電源システムの電圧レベル検出回路は、電源バスの電圧に基づいて負荷回路を制御することを特徴とする。
【００７２】
本発明の分散型電源システムの分散型電源（ＰＯＬ）は、複数のＤＣ／ＤＣコンバータで構成され、電圧レベル検出回路は、電源バスの電圧に基づいて分散型電源（ＰＯＬ）を切り替えることを特徴とする。
【００７３】
本発明の分散型電源システムの分散型電源（ＰＯＬ）は、出力電流を検出する出力電流検出手段と、出力電流の値と前記電源バスの電圧とから負荷回路の状態を検出する負荷状態検出手段と、負荷回路の負荷の状態に基づいて分散型電源（ＰＯＬ）を切り替える手段と、を有することを特徴とする。
【００７４】
本発明の分散型電源システムのメイン電源は、出力電流を検出する出力電流検出手段と、出力電流検出手段が検出した電流値に基づいてメイン電源の出力電圧を切り替える手段と、を有することを特徴とする。
【００７５】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００７６】
すなわち、上記した実施形態の分散型電源システムは、プログラムの命令によりコンピュータで実行される処理、手段、機能によって動作する。当該プログラムは、コンピュータの各構成要素に指令を送り、先に述べたような所定の処理や機能を実行する。
【００７７】
このように、上記実施形態の分散型電源システムにおける各処理や手段は、プログラムとコンピュータとが協働した具体的手段によって実現されるものである。
【００７８】
そして、上記実施形態の機能を実現するソフトウェアのプログラムコードを記録したコンピュータ読み取り可能な記録媒体、すなわち記憶メディアを介して、分散型電源システムのコンピュータ（ＣＰＵやＭＰＵ）が記憶メディアに格納されたプログラムコードを読み出し実行することによっても、本発明の目的は達成される。
【００７９】
また、プログラムは、記録メディアを介さず、通信回線を通じて直接にコンピュータにロードし実行することもでき、これによっても同様に本発明の目的は達成される。
【００８０】
この場合、記憶メディアから読み出された又は通信回線を通じてロードし実行されたプログラムコード自体が前述の実施形態の機能を実現することになる。そして、そのプログラムコードを記憶した記憶メディアは本発明を構成する。
【００８１】
また、プログラムコードを供給するための記憶メディアとしては、例えば、フロッピー（登録商標）ディスク、ハードディスク、光ディスク、光磁気ディスク、ＣＤ−ＲＯＭ、ＣＤ−Ｒ、不揮発性のメモリカード、ＲＯＭ、磁気テープ等を用いることができる。
【産業上の利用可能性】
【００８２】
本発明によれば、複数のＬＳＩや制御・駆動回路で構成される家電機器や事務機器などの電子機器の用途に適用できる。
【符号の説明】
【００８３】
１    商用交流電源
２    メイン電源（ＡＣ／ＤＣコンバータ）
３    電源バス（ＶＤＤ）
４    電源バス（ＧＮＤ）
５    ＰＯＬ１（ＤＣ／ＤＣコンバータ）
６    ＰＯＬ２（シリーズレギュレータ）
７    ＰＯＬ３（ＤＣ／ＤＣコンバータ）
８    負荷回路１（ＬＳＩ）
９    負荷回路２（軽負荷回路ブロック）
１０    負荷回路３（重負荷回路ブロック）
１１    電圧レベル検出回路１
１２    電圧レベル検出回路２
１３    電圧レベル検出回路３
１４    電流検出回路
１５    スイッチングレギュレータ
１６    シリーズレギュレータ
１７    電圧レベル検出回路
１８    負荷状態検出回路
１９    電流検出回路
【先行技術文献】
【特許文献】
【００８４】
【特許文献１】特開２００７−４９８２２号公報
【図１】
2011176904.tif 000003
【図２】
2011176904.tif 000004
【図３】
2011176904.tif 000005
【図４】
2011176904.tif 000006
【図５】
2011176904.tif 000007
【図６】
2011176904.tif 000008
【図７】
2011176904.tif 000009
【図８】
2011176904.tif 000010
【図９】
2011176904.tif 000011
【図１０】
2011176904.tif 000012
【図１１】
2011176904.tif 000013